(57)【特許請求の範囲】
【請求項１】
磁力線透過板の表面に上部から下部にかけて垂直に溝部を設け、前記溝部内に形成された空間に永久磁石を遊着することで、前記永久磁石が前記溝部内で上下に移動、滑動できるようにしたツマミ付永久磁石取出し装置を備え、前記ツマミ付永久磁石取出し装置の前記磁力線透過板の面の一方の側面、または両方の側面にバンドを取付け、前記バンドによって前記磁力線透過板の裏面に小物箱を抱持できるようにしたことを特徴とする磁石式小物取出し具。
【請求項２】
ベルトフックを設けた板の側面にバンド挿入孔を設け、前記バンド挿入孔に前記バンドを挿入してベルトフックを着脱自在にして、前記ベルトフックの装着位置を変えることができるようにしたことを特徴とする請求項１記載の磁石式小物取出し具。
【請求項３】
磁力線透過板の表面に上部から下部にかけて垂直に溝部を設け、前記溝部内に形成された空間に永久磁石を遊着することで、前記永久磁石が前記溝部内で上下に移動、滑動できるようにしたツマミ付永久磁石取出し装置を小物箱の磁気透過面の外側の面に前記ツマミ付永久磁石取出し装置を装着する装着溝を設けて、前記ツマミ付永久磁石取出し装置を着脱自在に設けたことを特徴とする磁石式小物取出し具。
【発明の詳細な説明】
【技術分野】
【０００１】
本発明は、電気配線工事、配管工事、及び建設工事において、ステップル、ネジ、釘などを収容して容易に取出しができる小物収容箱に関する。
【背景技術】
【０００２】
従来、電気工事の配線工事においてＦケーブルの配線工事を造営物に被着するとき、ステップルを用いて金槌で打込み、又はサドルを用いて木ネジ等で締めつけておこなうが、ステップルや木ネジ等を小物類の箱に納めるか、作業衣のポケットなどに納めてそのつど取出して作業を行うものである、この時従来の方法で取出すとき、箱等の収納の数が次第に少なくなると取出しにくくなる。
また、少なくなるステップル等を掴むとき指先にステップル等の鋭い先端が接触して痛みを感じることがある、時には爪との間に入り非常に痛いことがあることから作業の効率を悪くするものである。
また、配管作業などにおいてネジ、釘等を利用においても同様に効率が悪いものである。
【０００３】
そこで、開口を有し、内部に釘・ビス等の小物類を収納可能な収納箱本体と、前記開口を閉塞する蓋体とから成り、前記蓋体に、該蓋体を閉じた状態で、収納箱本体を横等にして持ち運び、その後に収納箱本体に収納された前記小物類を磁石で保持して、前記蓋体を開くと、前記小物類は前記蓋の磁石で保持した状態の小物類の収納箱がある（例えば特許文献１参照）。
【０００４】
また、釘箱において中心側へ傾斜した底板の中心部に設けた凸起より外側に向って仕切番を持ち上部に上部孔、中部に中部孔、下部に下部孔を設けた凸起を持った透明、半透明で一体形成した箱の中心部に円筒下部、及び円筒上部の2段型の磁石の中心部の上部に磁性体の取手を取付た非磁性体のボルトをとうしてボルトで上下を固定して、上部の磁性体を引き上げ磁性体に吸着した釘等を取出す釘箱がある（例えば特許文献２参照）。
【先行技術文献】
【特許文献】
【０００５】
【特許文献１】特開２００３−２２０５８０号広報
【特許文献２】実用新案公開昭５６−１２１５８７号広報
【発明の概要】
【発明が解決しようとする課題】
【０００６】
しかし、特許文献１の発明のベルト係止片を備えた小物類の収納箱で、箱より取出して蓋の磁石部に吸着して保持をするが、高所の作業や激しく動作をする作業において蓋をあけた状態では保持した小物類は激しい震動、あるいは蓋部が壁面、工作物に接触をして落下の可能性がある。
また、ケース本体に納めて、横にして滑動をすることで小物類（ネジ、釘等）が蓋の磁石部に吸着した状態となることで、利用時に小物類の収納箱の蓋磁石部より取出して使うものであるが、多数の小物類を必要とするとき、そのつど磁石部に補給しなければならないことから、配線作業、配管工事等においては効率性が悪いものである。
【０００７】
また、特許文献２の考案においては、磁性体一体が釘箱の中心部に固定した状態で設けられていることから着脱ができず、様々な工事において多種、多様でサイズも多く利用することから夫々の磁性体一体の箱が必要であることから不経済となる。
さらに、この構造から作業時に携帯として利用は困難がある、何らかの方法で身につけて携帯として利用できる構造として、作業中に釘等を吸着して上下動の磁性体一体を上部に位置した状態において、摘まんだ指を離し維持しようとするが、作業中の振動などにおいて上部に維持することは困難である、よってそのつど磁性体一体を上部滑動しなければならず、常に滑動をする配線作業、配管作業等において効率の良い作業はできないものである。
【課題を解決するための手段】
【０００８】
そこで本発明は、上記の課題になされたもので、電気配線工事、配管工事、及び建設工事において、ステップル、ネジ、釘などの小物類を収納した箱、梱包箱に、磁力線透過できる板面に永久磁石を用いてツマミ付永久磁石を上下に移動、滑動できるように設けた磁石式小物取出し具を挿着してツマミ付永久磁石によって小物類を容易に取出しができる着脱の装置である。
【０００９】
あるいは、磁力線透過できる材質の小物箱の外面に磁石式小物取出し具を取付た構造で、ツマミ付永久磁石を上部の取出し口に移動すると小物類のステップル、ネジ等を吸着して取出し口に止めて、停止した位置でツマミ付永久磁石のみで維持することができることで容易に取出しができることから作業効率を向上する装置を提供するものである。
【００１０】
上記の目的を達成するために、本発明は磁力線透過板の表面に上部から下部にかけて垂直に溝部を設け、前記溝部内に形成された空間に永久磁石を遊着することで、前記永久磁石が前記溝部内で上下に移動、滑動できるようにしたツマミ付永久磁石取出し装置を備え、前記ツマミ付永久磁石取出し装置の前記磁力線透過板の面の一方の側面、または両方の側面にバンドを取付け、前記バンドによって前記磁力線透過板の裏面に小物箱を抱持できるようにしたことを特徴とする。
【００１１】
また、ベルトフックを設けた板の側面にバンド挿入孔を設け、前記バンド挿入孔に前記バンドを挿入してベルトフックを着脱自在にして、前記ベルトフックの装着位置を変えることができるようにしたことを特徴とする。
【００１２】
また、磁力線透過板の表面に上部から下部にかけて垂直に溝部を設け、前記溝部内に形成された空間に永久磁石を遊着することで、前記永久磁石が前記溝部内で上下に移動、滑動できるようにしたツマミ付永久磁石取出し装置を小物箱の磁気透過面の外側の面に前記ツマミ付永久磁石取出し装置を装着する装着溝を設けて、前記ツマミ付永久磁石式取出し装置を着脱自在に設けたことを特徴とする。
【００１３】
また、永久磁石の前面にツマミを設けて、指でツマミ易くすることで上下の移動が容易にできるものである。
【発明の効果】
【００１４】
以上の説明から明らかのように、本発明にあってはつぎに列挙する効果が得られる。
【００１５】
作業時にステップル、ネジ等を磁石式小物取出し具に納めて、ベルト、ポケット等にベルトフック掛けて携帯として用いる、よってステップル、ネジ、釘等の小物類を即座に取出し口に複数を用意ができることで即効性の作業ができる。
【００１６】
また、小物箱面とツマミ付永久磁石の状態において、小物箱面はツマミ付永久磁石の磁力作用により内側の小物類を吸引した強い吸引力に挟まれることで上部に移動した位置を維持し、下部に落下せず、また激しい震動であっても取出し口の位置に留まることから小物類が取出し易いものである。
【００１７】
さらに、取出し口の小物類が無くなるとツマミ付永久磁石は重力により下部に滑り、下部に溜まっているステップル等の小物類を吸引した状態となることから、再びツマミを持ち上部に移動するだけの動作である、これらの動作は小物箱の所を見ずしておこなうことができるものであることから高所作業においても適しているものである。
【００１８】
また、従来においって作業中に小物箱にステップル、ネジ等の小物が少なくなると、指を入れこれらの小物を取り出そうとするとき鋭い先端に指先が刺さり危険でもあった、本発明によりこれらの事も無くなるものであるから安全であることで作業効率の向上ができるものである。
【００１９】
また、従来ステップル等を用いて作業をするとき購入時の梱包箱を用いることも多い、これらにおいても取出すことで数が少なくなると取出しにくく、指先をステップル等の先端で痛めることが多いものであることから、請求項１、ないし２を用いることで解決をすることができることで、経済性にも優れ、作業効率の向上も図れる。
【図面の簡単な説明】
【００２０】
【図１】本発明の第一実施例の形態の正面図である。
【図２】第一実施例の形態の斜視図である。
【図３】本発明に用いるツマミ付永久磁石の拡大した正面図である。
【図４】図２のＹ−Ｙの断面を上部から見たリップ溝形とツマミ付永久磁石の要部拡大断面図である。
【図５】第一実施例の磁石式小物取出し具をベルトフック付小物箱に装着した斜視図である。
【図６】本発明の第二実施例の形態の磁石式小物取出し具の面ファスナーにベルトフック装置を装着した正面図である。
【図７】第二実施例のベルトフック装置を装着した磁石式小物取出し具を梱包箱に装着した斜視図である。
【図８】図７の側面図である。
【図９】図７のＸ−Ｘの側面の断面図で動作状態を示した３例の図である。（Ａ）図は箱内のステップルをツマミ付永久磁石により吸引して取出し口に維持した状態の図である。（Ｂ）図は吸引のステップルを全て取り去ることでツマミ付永久磁石は重力作用により下部へ滑る状態の図である。（Ｃ）図はツマミ付永久磁石がステップルの部分で吸引して止まった状態の図である。
【図１０】本発明の第三実施例における、小物箱に設けた装着溝である垂直装着溝部にツマミ付永久磁石取出し装置を上から装着しようとする正面図である。
【図１１】図１０により、小物箱の垂直装着溝部にツマミ付永久磁石式取出し装置を装着した側面図である。
【図１２】本発明の第三実施例における、他の装着例の図で水平装着溝部に横より装入する正面図である。
【図１３】本発明の応用例１の形態における小物箱において中央に仕切板で二か所の収納部を設けて、その外側面にツマミ付永久磁石取出し装置を設けた正面図である。
【図１４】本発明の応用例２の小物箱の面に細い垂直孔を設けて、垂直孔に沿ってツマミ付永久磁石が上下に移動、滑動できるように設けた正面図である。
【図１５】応用例２のツマミ付永久磁石の装着状態を小物箱の収納部内側より見た要部拡大図である。
【図１６】図１５のＺ−Ｚの要部拡大断面図である。
【発明を実施するための形態】
【００２１】
本発明の実施例の形態について図面を参照して説明する。
【００２２】
最初に、本発明の第一実施例の形態について図１ないし図５を参照して説明する。
図１は本発明の第一実施例のツマミ付永久磁石取出し装置面の一方の側部面に面ファスナーを装着した正面図である。
図２は図１の斜視図である。
図３は本発明に用いるツマミ付永久磁石の拡大した正面図である。
図４はリップ溝形の溝部とツマミ付永久磁石の部分を図２のＹ−Ｙの断面を上部から見た要部拡大の断面図である。
図５は第一実施例の磁石式小物取出し具をベルトフック付小物箱に面ファスナーを用いて装着した斜視図である。  
【００２３】
図１ないし図５に示す如く、４は磁石支持板で２は永久磁石で前記磁石支持板４に接着して固定し永久磁石２の前面にツマミ３を設けたツマミ３付永久磁石２の構造とする、また８は磁力線を透過できる材質板の磁力透過板で装置ベース板８である、７は装置ベース板８のほぼ中央に上部から下部にかけて設けた溝形成部である、９は溝形成部７をリップ溝形に設けた溝部である、ツマミ３付磁石２の磁石支持板４をリップ溝形の溝部９内に形成された空間に遊着して、ツマミ３付磁石２を上下に滑動するように設けたツマミ付永久磁石取出し装置１である。
上部と下部に磁石一体が溝部９より外れを防ぐように外れ防止７１を設けたツマミ付永久磁石取出し装置１である、１２はベルトフック付小物箱の蓋である、５はバンドの面ファスナーである、またツマミ付永久磁石取出し装置１の装置ベース板８の両側面にバンド通し孔６を設けて、面ファスナー５の一方の側面のバンド通し孔６に通して装着することで、装置ベース板８に磁力線透過のベルトフック付小物箱１１を抱き合わせて面ファスナー５によって巻装して固定できるように設ける。
また、装着したベルトフック付小物箱１１を落下防止用に箱受板１３を設ける。
【００２４】
上記の構成により本発明の第一実施例は電気工事の配線工事、配管工事、又は大工工事等において用いるもので、本案の磁石式小物取出し具のツマミ付永久磁石取出し装置１は磁力線を透過するプラスチック板、アクリル板、木板、及びパルプ等を用いた装置ベース板８の表面のほぼ中央に上部から下部にかけて設けた溝形成部７を設けて、溝形成部７のリップ溝形の溝部９にツマミ３付磁石２の磁石支持板４を遊着して外れることなく上下に滑らかに移動、滑動できるように設ける。
また、７１は前記ツマミ３付磁石２の磁石支持板４が上部、下部から外れ防止片である。
【００２５】
前記装置ベース板８のバンド通し孔６に設けた面ファスナー５と箱受板１３によって磁力線透過できる材質のベルトフック付小物箱１１を抱き合わせて、面ファスナー５によって巻くようにして装着する、装着するとき面ファスナー５のもう一方の端をバンド通し孔６に通して折り返して面ファスナー５に接着して前記ベルトフック付小物箱１１固定する。
【００２６】
また、磁力線透過の材質は溝形成部７のリップ溝形の溝部９にツマミ付永久磁石２が上下に移動、滑動する部分に少なくとも用いるか、装置ベース板８全体、あるいは部分てきに磁力線透過材質によって設ける。
【００２７】
したがって、フック付小物容器の外周にツマミ付永久磁石取出し装置１の装置ベース８の面にあてた状態で面ファスナー５によって巻き締めて固定をする、
よって、電気工事の配線工事においてＦケーブルの配線工事を造営物に被着するとき、ステップル１５を金槌で打込み作業において、ベルトフック付小物箱１１にステップル１５を多数納めて、フック付小物箱のフック１１を作業ベルト等、または作業ポケットに引掛けて固定をする。
Ｆケーブルを被着固定するときベルトフック付小物箱１１の蓋１２を開けて、前面に装着したツマミ付永久磁石取出し装置１のツマミ３付磁石２のツマミ３を指で摘まんで上部の取出し口に引き上げる、溝形成部７のリップ溝形の溝部９を引き上げ後に指を離すことでも、その位置を維持して留まる。
ツマミ付磁石２一体が上部に留まる状態は、ツマミ付永久磁石２とステップル１５との間に強い吸引力作用によって装置ベース板８のリップ溝形の溝部９の下部に滑動しないことで、上部の位置を維持する状態となることから、ツマミ付永久磁石２が吸引したステップル１５、及び小物類を容易に取出し易いものである。                                                                                                                                                                                                                                                                                                                        
取出し口の数個のステップル１５が全て無くなると、ツマミ付永久磁石２は重力によりリップ溝形の溝部９を上部から下部に滑動して、収納した多数のステップル９の位置で止まりステップル９を吸着状態となる。
よって、再びツマミ付永久磁石２を上部の取出し口に移動するステップル１５を取出すことができる、これらの動作はステップル１５の位置を見ずして容易にできることである、これらの事から作業の効率を高めることができるものである。
ステップル以外に木ネジ類、釘等においても同様に取り扱いができる。
【００２８】
なお、バンドにおいて面ファスナー５と同様に伸縮自在のゴムバンドを用いること、あるいは革、合成系等を用いて一端に接続具にて箱を支持することも可能である。  
【００２９】
また、本発明の第二実施例の形態について図６ないし図９を参照して説明する。
図６は本発明の第二実施例の形態の図で、第一実施例の磁石式小物取出し具の面ファスナーにベルトフック装置を装着した正面図である。
図７第二実施例のベルトフック装置を装着した磁石式小物取出し具をステップル入りの梱包箱に装着した斜視図である。
図８は図７の側面図である。
図９は図７のＸ−Ｘの側面の断面図で磁力による上下滑動の状態を示した３例の図である。
（Ａ）図は箱内のステップルをツマミ付永久磁石により吸引して取出し口に止まった状態の図である。
（Ｂ）図は吸引のステップルを全て取り去ることでツマミ付永久磁石は重力により下部へ滑る状態の図である。
（Ｃ）図はツマミ付永久磁石がステップルの部分で吸引して止まった状態の図である。
【００３０】
図６ないし図９に示し如く、１０ａはベルトフック装置のベルトフックである、４ａはベルトフック装置のベルトフック取付板で、ベルトフック取付板４ａにベルトフック１０ａと面ファスナー５を通すバンド通し孔６ａを設ける、図６に示すように第一実施例のツマミ付永久磁石取出し装置１に設けた面ファスナー５をベルトフック取付板４ａのバンド通し孔６ａに通して一体にした形成となる。
【００３１】
ツマミ付永久磁石取出し装置１のバンドである面ファスナー５をベルトフック装置のベルトフック取付板４ａのバンド通し孔６ａに面ファスナー５を通すことによって一体にする、よってベルトフックを設けていないステップル１５等の収納した小物入れの箱、又は梱包箱１４を装置ベース板８の裏面に沿わせて、バンドである面ファスナー５によって巻くようにして面ファスナー５の端を、もう一方のバンド通し孔６に通して折り返して接着して固定する。
ここで、小物箱、梱包箱１４の材質は磁力線透過の材質である。
【００３２】
したがって、図６、図７、及び図８に示すようにベルトフック装置とツマミ付永久磁石取出し装置と一体化にステップル梱包箱１４に装着すると、ステップル梱包箱１４の両面はベルトフック装置を備えた面と、もう一方の面はツマミ付永久磁石取出し装置を備えた面の状態である、よってベルトフック１０を作業ベルト等に引掛けて固定する。
電気工事の配線作業においてステップル１５の利用でステップル１５を取出すにおいては第一実施例と同様に、図９の（Ａ）に示すようにステップル梱包箱１４の蓋１２ａをあけて、ツマミ付永久磁石取出し装置１のツマミ３付磁石２のツマミ３を指で摘まんで上部の取出し口に引き上げる、溝形成部７のリップ溝形形成した溝部９に沿って引き上げると磁石２により磁気作用による吸引した数個のステップル１５との間の装置ベース板８とステップル梱包箱１４の面が吸引の圧力によりツマミ付永久磁石２と吸引したステップル１５は下部に落下せず取出し口位置に維持して留まることで、ステップル１５は容易に取出し易いものである。
取出し口の数個のステップル１５が全て無くなると、図９の（Ｂ）に示すようにツマミ付永久磁石２は重力によりリップ溝形の溝部９を上部から下部に滑動する。
図９の（Ｃ）に示すように、ツマミ付磁石２は収納した多数のステップル１５の位置でステップル１５を吸引して止まる状態となる。
よって、再びツマミ付永久磁石２を上部の取出し口に移動してステップル１５を取出すことができる、これらの動作はステップル１５の位置を見ずして容易にできることである、これらの事から作業の効率を高めることができるものである。
これらの動作は木ネジ類、釘等においても同様である。
【００３３】
また、本発明の第三実施例の形態について、図１０ないし図１２を参照して説明する。
図１０は第三実施例の形態におけるベルトフック付小物箱の表面のほぼ中央中心に設けた装着溝である垂直装着溝部にツマミ付永久磁石取出し装置を上から装入して装着しようとする正面図である。
図１１は図１０により、小物箱の垂直装着溝部にツマミ付永久磁石取出し装置を装着した側面図である。
図１２は図１０、図１１において、他の装着例でベルトフック付小物箱の表面のほぼ中央を中心に設けた装着溝である水平装着溝部にツマミ付永久磁石取出し装置を横方向より装入して装着しようとする正面図である。
【００３４】
図１０ないし図１２に示す如く、４は磁石支持板で２は永久磁石で前記磁石支持板４に接着して固定し永久磁石２の前面にツマミ３を設けたツマミ３付永久磁石２の構造とする、また８ｂは磁力線を透過できる材質板の磁力透過板で装置ベース板８ｂである、７は装置ベース板８ｂのほぼ中央に上部から下部にかけて設けた溝形成部である、９は溝形成部７をリップ溝形に設けた溝部である、ツマミ３付磁石２の磁石支持板４をリップ溝形の溝部９内に形成された空間に遊着して、ツマミ３付磁石２を上下に滑動するように設けたツマミ付永久磁石取出し装置１ｂである。
上部と下部に磁石一体が溝部９より外れを防ぐように外れ防止７１を設ける、１２ｂはベルトフック付小物箱の蓋である、
また、ベルトフック付小物箱１１ｂの表面のほぼ中央を中心とした位置に、ツマミ付永久磁石取出し装置１ｂの装置ベース板８ｂを着脱できる装着溝である垂直装着溝部、又は水平装着溝部を設ける。
１７は装置ベース板８ｂを縦方向より装入して装着する垂直装着溝部で、あるいは１７ｂは装置ベース板８ｂを横方向より装入して装着する水平装着溝部でベルトフック付小物箱１１ｂの外側の面に設ける。
また、ツマミ付永久磁石取出し装置１ｂの装置ベース板８ｂを挿入した装置ベース板８ｂが外れないようにする係止片２３である、１２ｂは蓋で、１８は蓋１２ｂの取手である。
【００３５】
したがって、磁力透過材質のベルトフック付小物箱１１ｂの面に設けた垂直装着溝部１７、あるいは水平装着溝部１７ｂにツマミ付永久磁石取出し装置１ｂを装入して装着して係止片２３を可動して外れ防止とする、作業ベルト等にベルトフック１０ｂを引掛けて固定をすることで、電気工事の配線工事においてＦケーブルの配線工事を造営物に被着するとき、蓋１２ｂの取手１８で蓋１２ｂを開いて前記ベルトフック付小物箱１１の外面に装着したツマミ付永久磁石取出し装置１ｂのツマミ３付磁石２のツマミ３を指で摘まんで上部の取出し口に引き上げる、溝形成部７のリップ溝形の溝部９内に引き上げると永久磁石２により磁気作用による吸引した数個のステップル１５との間の装置ベース板８とベルトフック付小物箱１１ｂの面板が吸引の圧力によりツマミ付永久磁石２と吸引したステップル１５は下部に落下せず取出し口位置に留まり、ステップル１５を容易に取出し易いものである。
取出し口の数個のステップル１５が全て無くなると、ツマミ付永久磁石２は重力によりリップ溝形の溝部９内を上部から下部に滑動して、収納した多数のステップル１５の位置で止まりステップル１５を吸引状態となる。
よって、再びツマミ付永久磁石２を上部の取出し口に移動してステップル１５を取出すことができる、これらの動作はステップル１５の位置を見ずして容易にできることである、これらの事から作業の効率を高めることができるものである。
【００３６】
また、本発明の応用例１について図１３を参照して説明する。
図１３は本発明の応用例１の小物箱において中央に仕切板で二か所の収納部を設けて、その外側にツマミ付永久磁石取出し装置を設けた正面図である。
【００３７】
図１３に示す如く、一例としてベルトフック付小物箱１１ｃは内部を仕切板１９によってＡ収納部２１とＢ収納部２２の二ヶ所の収納部を有した前記ベルトフック付小物箱１１ｃにおいて、Ａ収納部２１とＢ収納部２２の面に溝形成部７を設ける、溝成形部７は夫々の外側の面に溝形成部７のリップ溝形の溝部９を設ける、上部と下部に外れ防止片７１を設けてリップ溝形の溝部９内に形成された空間に前記ツマミ３付磁石２を遊着して設けて、外れることなく上下に滑らかに移動、滑動できるように設ける。
また、１２ｃはＡ収納部２１、Ｂ収納部２２の蓋、１８ｃは各収納部の蓋１２ｃの取手である。
【００３８】
また、磁力線透過する材質はプラスチック材、アクリル材等の合成樹脂材、木材、及びパルプ等を用いて、前記磁力線透過の材質を溝形成部７のリップ溝形の溝部９にツマミ付永久磁石２が上下滑動する部分に少なくとも用いるか、ベルトフック付小物箱１１ｃ全体に磁力線透過材質によって設ける。
【００３９】
したがって、電気工事の配線工事、又は配管工事等で必要小物類のステップルと木ネジの二種類を、小物箱、又はベルトフック付小物箱１１ｃのＡ収納部２１とＢ収納部２２に分けて納めて、ベルトフック１０ｂを作業ベルト等に引掛けて固定をすることで、電気工事の配線工事においてＦケーブル、配管等の工事を造営物に被着するときベルトフック付小物箱１１ｃに小物を必要に応じてＡ収納箱、又はＢ収納箱の蓋１２ｃを開けて、ツマミ３付磁石２のツマミ３を指で摘まんで上部の取出し口に移動して、溝形成部７のリップ溝形の溝部９に沿って引き上げると磁石２による磁気作用による吸引した数個の小物類との間のベルトフック付小物箱１１ｃの面板が吸引の圧力によりツマミ付永久磁石２と吸引した小物類は下部に落下せず取出し口位置に留まり、小物類を容易に取出し易いものである。
取出し口の数個の小物類が全て無くなると、ツマミ付永久磁石２は重力によりリップ溝形の溝部９を上部から下部に滑動して、収納したステップル９の位置で止まり小物類を吸着状態となる。
よって、再びツマミ付永久磁石２を上部の取出し口に移動して小物類を取出すことができる、これらの動きは小物類の位置を見ずして容易にできることである、これらの事から作業の効率を高めることができるものである。
【００４０】
なお、ベルトフック付小物箱１１ｄを一ヶ所の収納で、前記小物箱１１ｂの面に溝形成部７のリップ溝形の溝部９に前記ツマミ３付磁石２を設けて一種類の小物収納で効率良く取出すことができる。
【００４１】
また、ベルトフック付小物箱内１１ｄに複数の仕切板１９を設けて、夫々の収納部に種類ごとに分けて収納して、前記ツマミ３付磁石２取出し具によって、よって、作業状況に合わせて夫々の小物を使うことで作業効率を一層高めることができるものである。  
【００４２】
また、本発明の応用例２について図１４ないし図１６を参照して説明する。
図１４は本発明の応用例２のベルトフック付小物箱の面に細い垂直孔を設けて、垂直孔に沿ってツマミ付永久磁石が上下に移動、滑動できるように設けた正面図である。
図１５はツマミ付永久磁石の挿着状態を小物箱の収納部内側より見た要部拡大図である。
図１６は図１５のＺ−Ｚの要部拡大断面図である。
【００４３】
図１４ないし図１６に示す如く、小物箱、又はベルトフック付小物箱１１ｄ面に垂直の磁石垂直滑動孔２０を設けてツマミ３付磁石２の磁石２裏側に支持部材である支持具２４と支持具止片２５を設ける、磁石垂直滑動孔２０に支持具２４を遊着してベルトフック付小物箱１１ｄの内側で支持具２４の抜け防止に支持具止片２５を設けることでツマミ３付磁石２の脱落を防ぎながら上下に移動、滑動するように設ける。
【００４４】
したがって、電気工事の配線工事、又は配管工事等で必要小物類のステップルと木ネジをベルトフック付小物箱１１ｄに納めて、作業ベルト等にベルトフック１０ｂを引掛けて固定をして、ベルトフック付小物箱１１ｄの蓋１２ｄの取手１８ｄで蓋１２ｄを開いてベルトフック付小物箱１１ｄの面に設けた磁石垂直滑動孔２０と磁石垂直滑動孔２０に挿着したツマミ３付磁石２のツマミ３を指で摘まんで上部の取出し口に移動する、磁石垂直滑動孔２０に沿って上げるとツマミ付永久磁石２の磁気作用によって吸引した数個のステップル１５等は取出し口の上部に移動する、ツマミ付永久磁石は数個のステップル等を強い吸引力によってベルトフック付小物箱１１ｄの面から下降せず取出し口位置に留まり、小物類のステップル１５等を容易に取出し易いものである。
取出し口の数個のステップル１５等が全て無くなると、ツマミ付永久磁石２は重力により磁石垂直滑動２０を上部から下部に滑動して、収納したステップル１５等の位置で止まり多数のステップル１５等を吸着状態となる。
よって、再びツマミ付永久磁石２を上部の取出し口に移動いてステップル１５等を取出すことができる、これらの事から作業の効率を高めることができるものである。
【００４５】
なお、永久磁石２においてネオジム磁石を用いることで強力な磁力により箱内の小物類のステップル、ネジ、釘等を吸引することで作業中の激しい動きに対しても落下せず作業の効率をさらに高めるものである。
【符号の説明】
【００４６】
１、１ｂはツマミ付永久磁石取出し装置
２は永久磁石
３はツマミ
４は磁石支持具
４ａはベルトフック取付板
５は面ファスナー(バンド)
６、６ａはバンド通し孔
７は溝形成部
８、８ｂは装置ベース板
９はリップ溝形の溝部
１０、１０ａ、１０ｂはベルトフック
１１、１１ｂ、１１ｃは磁力線透過のベルトフック付小物箱
１１ｂはベルトフック付小物箱
１２、１２ａ、１２ｂ、１２ｃ、１２ｄは蓋
１３は箱受板
１４はステップル梱包箱
１５はステップル
１６は取出し口
１７は装置ベース板装着の垂直装着溝部
１７ｂは装置ベース板装着の水平装着溝部
１８、１８ｃ、１８ｄは取手
１９は仕切板
２０は磁石垂直滑動孔
２１はＡ収納部
２２はＢ収納部
２３は係止片
２４は支持具
２５は支持具止片
７１は外れ防止片
【図１】
0005792845.tif 000002
【図２】
0005792845.tif 000003
【図３】
0005792845.tif 000004
【図４】
0005792845.tif 000005
【図５】
0005792845.tif 000006
【図６】
0005792845.tif 000007
【図７】
0005792845.tif 000008
【図８】
0005792845.tif 000009
【図９】
0005792845.tif 000010
【図１０】
0005792845.tif 000011
【図１１】
0005792845.tif 000012
【図１２】
0005792845.tif 000013
【図１３】
0005792845.tif 000014
【図１４】
0005792845.tif 000015
【図１５】
0005792845.tif 000016
【図１６】
0005792845.tif 000017